(57)【要約】【課題】撮影現場において、シミュレーション用の映像信号の信号値を誤って参照することなく、最終出力デバイスに対する最終映像信号の信号値を定量的に把握することができる映像変換装置および映像変換システムを提供する。【解決手段】入力映像信号を最終出力デバイスに応じて色変換した最終映像信号を生成する第１の色変換ユニット１１と、シミュレーションモニタ４において最終出力デバイスにおける最終映像の色再現を行うために、最終映像信号を色変換したシミュレーション映像信号を生成する第２の色変換ユニット１２と、最終映像信号を波形表示する波形モニタ３に接続され、最終映像信号を出力する最終映像信号出力端子１３と、シミュレーションモニタ４に接続され、シミュレーション映像信号を出力するシミュレーション映像信号出力端子１４とを備える。【選択図】図１
2015070602.tif 000002
【特許請求の範囲】
【請求項１】
入力された入力映像信号を色変換し、接続されたシミュレーションモニタにおいて、最終出力デバイスにおける最終映像の色再現を行う映像変換装置であって、
前記入力映像信号を前記最終出力デバイスに応じて色変換した最終映像信号を生成する第１の色変換ユニットと、
前記シミュレーションモニタにおいて前記最終出力デバイスにおける最終映像の色再現を行うために、前記最終映像信号を前記シミュレーションモニタに応じて色変換したシミュレーション映像信号を生成する第２の色変換ユニットと、
前記最終映像信号を波形表示する波形モニタに接続され、前記第１の色変換ユニットで生成された前記最終映像信号を出力する最終映像信号出力端子と、
前記シミュレーションモニタに接続され、前記第２の色変換ユニットで生成された前記シミュレーション映像信号を出力するシミュレーション映像信号出力端子とを備えることを特徴とする映像変換装置。
【請求項２】
入力された入力映像信号を色変換し、接続されたシミュレーションモニタにおいて、最終出力デバイスにおける最終映像の色再現を行う映像変換装置であって、
前記入力映像信号を前記最終出力デバイスに応じて色変換した最終映像信号を生成する第１の色変換ユニットと、
前記シミュレーションモニタにおいて前記最終出力デバイスにおける最終映像の色再現を行うために、前記最終映像信号を前記シミュレーションモニタに応じて色変換したシミュレーション映像信号を生成する第２の色変換ユニットと、
前記第１の色変換ユニットで生成された前記最終映像信号を前記シミュレーションモニタにおいて波形表示するための波形表示信号を生成する波形表示信号生成部と、
前記第２の色変換ユニットで生成された前記シミュレーション映像信号と前記波形表示信号生成部で生成された前記波形表示信号とをそれぞれ取得し、前記シミュレーション映像信号に基づく最終映像と前記波形表示信号に基づく波形表示とを前記シミュレーションモニタに表示させる表示制御部とを備えることを特徴とする映像変換装置。
【請求項３】
表示切替スイッチを更に備え、
前記表示制御部は、前記表示切替スイッチの指示に基づいて、前記最終映像と前記波形表示との並列表示、前記最終映像と前記波形表示との重畳表示、前記最終映像、ならびに前記波形表示を切り替えて前記シミュレーションモニタに表示することを特徴とする請求項２に記載の映像変換装置。
【請求項４】
入力された入力映像信号を最終出力デバイスに応じて色変換した最終映像信号を生成する第１の色変換ユニットと、
前記最終出力デバイスと異なるシミュレーションモニタにおいて前記最終出力デバイスおける最終映像の色再現を行うために、前記最終映像信号を前記シミュレーションモニタに応じて色変換したシミュレーション映像信号を生成する第２の色変換ユニットと、
前記第１の色変換ユニットで生成された前記最終映像信号と前記第２の色変換ユニットで生成された前記シミュレーション映像信号とをそれぞれ取得し、前記最終映像信号および前記シミュレーション映像信号のいずれか一方を出力する出力切替部とを備えることを特徴とする映像変換装置。
【請求項５】
表示切替スイッチを更に備え、
前記出力切替部は、前記表示切替スイッチの指示に基づいて前記最終映像信号と前記シミュレーション映像信号とを切り替えることを特徴とする請求項４に記載の映像変換装置。
【請求項６】
前記出力切替部からの前記最終映像信号または前記シミュレーション映像信号を出力する出力端子と、
前記出力端子に表示モニタが接続された場合に、接続された前記表示モニタが前記最終映像信号を波形表示する波形モニタか前記シミュレーションモニタかを判定する接続モニタ判定部とを更に備え、
前記出力切替部は、前記接続モニタ判定部からの指示を受け、前記接続モニタ判定部が、前記出力端子に接続された前記表示モニタが前記波形モニタであると判定した場合には前記最終映像信号を出力し、前記出力端子に接続された表示モニタが前記シミュレーションモニタであると判定した場合には、前記シミュレーション映像信号を出力することを特徴とする請求項４に記載の映像変換装置。
【請求項７】
前記第１の色変換ユニットは、前記最終映像信号に基づく最終映像の色調整を行うための色調整部を更に有し、
前記第２の色変換ユニットは、前記色調整部において色調整のなされた最終映像信号の色変換を行い、色調整のなされたシミュレーション映像信号を生成することを特徴とすることを特徴とする請求項１〜６のいずれか一項に記載の映像変換装置。
【請求項８】
色変換切替部を更に有し、
前記色変換切替部を切り替えることで、前記第２の色変換ユニットでの前記色調整のなされた最終映像信号の色変換において、前記最終出力デバイスでの測色値をそのまま前記シミュレーションモニタで表示するための測色変換と、前記シミュレーションモニタにおける色温度を考慮して色再現を行うための色順応変換とを切り替えることを特徴とする請求項７に記載の映像変換装置。
【請求項９】
請求項１〜８のいずれか一項に記載の映像変換装置と、
前記映像変換装置から出力される前記最終映像信号を波形表示する波形モニタとを備えることを特徴とする映像変換システム。
【請求項１０】
前記波形表示は、波形モニタ表示またはベクトルスコープ表示であることを特徴とする請求項９に記載の映像変換システム。
【請求項１１】
前記波形モニタは、白を含む無彩色を表示しないことを特徴とする請求項９または１０に記載の映像変換システム。
【請求項１２】
前記波形モニタは、前記最終映像信号に基づく前記最終映像の平均輝度よりも小さい輝度の無彩色および有彩色の少なくとも一方を使用した前記波形表示を行うことを特徴とする請求項９または１０に記載の映像変換システム。
【発明の詳細な説明】
【技術分野】
【０００１】
本発明は、カメラ等によって撮像された映像信号をその出力先であるモニタ等に応じて色処理する映像変換装置および映像変換装置を備える映像変換システムに関するものである。
【背景技術】
【０００２】
図７（Ａ）〜（Ｃ）に示すように、印刷物やモニタなど、所定のメディアで再現した色を別のメディアで色再現するＣＭＳ（Ｃｏｌｏｒ  Ｍａｎａｇｅｍｅｎｔ  Ｓｙｓｔｅｍ）技術が開発され、印刷カラーシミュレーションやモニタカラーシミュレーションなどが実用化されている。例えば、図７（Ａ）は、印刷物をモニタに表示するための色変換を示し、図７（Ｂ）は、カメラで撮影された画像をモニタに表示するための色変換を示し、図７（Ｃ）は、モニタに表示された画像をプリンタで印刷するための色変換を示す。
【０００３】
さらに、正確な色再現をしたうえで、更に色調整を行い、その調整結果を正確にモニタで再現することも実現されて始めている。色調整は、図８（Ａ）および（Ｂ）に示すように、入力デバイスのデータに対して行う場合（ｉ）、共通色空間で行う場合（ｉｉ）、および出力デバイスのデータに対して行う場合（ｉｉｉ）の３通りが考えられる。図８（Ａ）は、印刷物をモニタで表示する際の色調整を含む色変換を示し、図８（Ｂ）は、カメラで撮影された画像をモニタに表示する際の色調整を含む色変換を示す。
【０００４】
映画・放送業界では、図９（Ａ）に示すようにカメラからの入力データ（映像信号）を、映画の最終出力デバイスであるプロジェクタや、放送の最終出力デバイスであるマスタモニタ等で表示するための色変換を行うが、例えば、最終出力デバイスの１つである映画用のプロジェクタは、大規模なものであり、撮影現場に設置すること自体が困難であり、また、例えば、最終出力デバイスの１つである放送用のマスタモニタは非常に高価であり、撮影現場毎にマスタモニタを設置することは現実的ではないため、図９（Ｂ）に示すように撮影現場においては、確認用のＯｎ−Ｓｉｔｅモニタ（シミュレーションモニタ）でカラーシミュレーションを行い、色再現を確認する。
【０００５】
映画・放送業界における上述の色変換は、入力デバイスの色を正確に再現することが重要な印刷カラーシミュレーションやモニタカラーシミュレーションと異なり、カメラを入力とした場合は、撮影シーンをそのままカラー再現しても好ましい絵とはならないため、必ず色／階調変換を施して、好ましい絵に仕上げることが必要となる。特許文献１には、カメラからの入力を色／階調変換することで撮影現場においてユーザの所望の絵に仕上げる映像変換装置の発明が開示されている。
【先行技術文献】
【特許文献】
【０００６】
【特許文献１】特開２０１２−２３１４５９号公報
【発明の概要】
【発明が解決しようとする課題】
【０００７】
上述のＣＭＳ技術に基づいたモニタシミュレーションでは、モニタに表示される色が正しいと考えて運用することが前提である。
しかし、モニタの設定や観察環境等、些細なことで簡単に映像の色が変わるため、モニタを通じた見た目だけでなく、映像信号自体を定量的に数値で確認したいというニーズがある。
【０００８】
特に、映画業界や放送業界では、従来の慣習として、図１０に示すようにカメラ出力の信号値（ＲＧＢ値）を直接Ｏｎ−Ｓｉｔｅモニタ（シミュレーションモニタ）に入力し、Ｏｎ−Ｓｉｔｅモニタに流れる映像信号を波形モニタで観察することで、数値による映像信号の定量的な確認・調整がなされている。最もよく確認されるのは、グレーバランスで、映像信号のＲＧＢ値がＲ＝Ｇ＝Ｂとなっているかが確認される。
【０００９】
図１１に示す、ＣＭＳ技術を用いた映像変換装置において、撮影現場において、従来の慣習どおり、Ｏｎ−Ｓｉｔｅモニタへの出力を波形モニタに繋ぎ、映像信号のＲＧＢ値を確認すると、Ｏｎ−Ｓｉｔｅモニタは、あくまで映画の最終出力デバイスであるプロジェクタや、放送の最終出力デバイスであるマスタモニタ等で再現される色をシミュレーションした信号であり、例えば、映画の最終出力デバイスであるプロジェクタの色温度はＤ６０（約６０００Ｋ）前後であるため、例えば、色温度がＤ９３（約９３００Ｋ）であるＯｎ−Ｓｉｔｅモニタでは、例えば、Ｒ＝Ｇ＞Ｂで再現されて、Ｄ６０環境下のグレーが“見た目”として再現されている。
そのため、本来グレーバランスが取れているにも関わらず、グレーバランスを修正しようとして誤った修正をしてしまう問題がある。
【００１０】
本発明の目的は、撮影現場において、シミュレーション用の映像信号の信号値を誤って参照することなく、最終出力デバイスに対する最終映像信号の信号値を定量的に把握することができる映像変換装置および映像変換システムを提供することにある。
【課題を解決するための手段】
【００１１】
上記課題を解決するために、本発明は、入力された入力映像信号を色変換し、接続されたシミュレーションモニタにおいて、最終出力デバイスにおける最終映像の色再現を行う映像変換装置であって、入力映像信号を最終出力デバイスに応じて色変換した最終映像信号を生成する第１の色変換ユニットと、シミュレーションモニタにおいて最終出力デバイスにおける最終映像の色再現を行うために、最終映像信号をシミュレーションモニタに応じて色変換したシミュレーション映像信号を生成する第２の色変換ユニットと、最終映像信号を波形表示する波形モニタに接続され、第１の色変換ユニットで生成された最終映像信号を出力する最終映像信号出力端子と、シミュレーションモニタに接続され、第２の色変換ユニットで生成されたシミュレーション映像信号を出力するシミュレーション映像信号出力端子とを備えることを特徴とする映像変換装置を提供する。
【００１２】
また、本発明は、入力された入力映像信号を色変換し、接続されたシミュレーションモニタにおいて、最終出力デバイスにおける最終映像の色再現を行う映像変換装置であって、入力映像信号を最終出力デバイスに応じて色変換した最終映像信号を生成する第１の色変換ユニットと、シミュレーションモニタにおいて最終出力デバイスにおける最終映像の色再現を行うために、最終映像信号をシミュレーションモニタに応じて色変換したシミュレーション映像信号を生成する第２の色変換ユニットと、第１の色変換ユニットで生成された最終映像信号をシミュレーションモニタにおいて波形表示するための波形表示信号を生成する波形表示信号生成部と、第２の色変換ユニットで生成されたシミュレーション映像信号と波形表示信号生成部で生成された波形表示信号とをそれぞれ取得し、シミュレーション映像信号に基づく最終映像と波形表示信号に基づく波形表示とをシミュレーションモニタに表示させる表示制御部とを備えることを特徴とする映像変換装置を提供する。
【００１３】
また、表示切替スイッチを更に備え、表示制御部は、表示切替スイッチの指示に基づいて、最終映像と波形表示との並列表示、最終映像と波形表示との重畳表示、最終映像、ならびに波形表示を切り替えてシミュレーションモニタに表示することが好ましい。
【００１４】
また、本発明は、入力された入力映像信号を最終出力デバイスに応じて色変換した最終映像信号を生成する第１の色変換ユニットと、最終出力デバイスと異なるシミュレーションモニタにおいて最終出力デバイスおける最終映像の色再現を行うために、最終映像信号をシミュレーションモニタに応じて色変換したシミュレーション映像信号を生成する第２の色変換ユニットと、第１の色変換ユニットで生成された最終映像信号と第２の色変換ユニットで生成されたシミュレーション映像信号とをそれぞれ取得し、最終映像信号およびシミュレーション映像信号のいずれか一方を出力する出力切替部とを備えることを特徴とする映像変換装置を提供する。
【００１５】
また、表示切替スイッチを更に備え、出力切替部は、表示切替スイッチの指示に基づいて最終映像信号とシミュレーション映像信号とを切り替えることが好ましい。
【００１６】
また、出力切替部からの最終映像信号またはシミュレーション映像信号を出力する出力端子と、出力端子に表示モニタが接続された場合に、接続された表示モニタが最終映像信号を波形表示する波形モニタかシミュレーションモニタかを判定する接続モニタ判定部とを更に備え、出力切替部は、接続モニタ判定部からの指示を受け、接続モニタ判定部が、出力端子に接続された表示モニタが波形モニタであると判定した場合には最終映像信号を出力し、出力端子に接続された表示モニタがシミュレーションモニタであると判定した場合には、シミュレーション映像信号を出力することが好ましい。
【００１７】
また、第１の色変換ユニットは、最終映像信号に基づく最終映像の色調整を行うための色調整部を更に有し、第２の色変換ユニットは、色調整部において色調整のなされた最終映像信号の色変換を行い、色調整のなされたシミュレーション映像信号を生成することが好ましい。
【００１８】
また、色変換切替部を更に有し、色変換切替部を切り替えることで、第２の色変換ユニットでの色調整のなされた最終映像信号の色変換において、最終出力デバイスでの測色値をそのままシミュレーションモニタで表示するための測色変換と、シミュレーションモニタにおける色温度を考慮して色再現を行うための色順応変換とを切り替えることが好ましい。
【００１９】
また、本発明は、上述のいずれかに記載の映像変換装置と、映像変換装置から出力される最終映像信号を波形表示する波形モニタとを備えることを特徴とする映像変換システムを提供する。
【００２０】
また、波形表示は、波形モニタ表示またはベクトルスコープ表示であることが好ましい。
【００２１】
また、波形モニタは、白を含む無彩色を表示しないことが好ましく、また、波形モニタは、最終映像信号に基づく最終映像の平均輝度よりも小さい輝度の無彩色および有彩色の少なくとも一方を使用した波形表示を行ってもよい。
【発明の効果】
【００２２】
本発明によれば、映画・放送業界の慣習によりシミュレーション用の映像信号の信号値を誤って参照することなく、最終出力デバイスに対する最終映像信号の信号値を定量的に把握することができる。このため、撮影現場のシミュレーションモニタにおいて、最終出力デバイスでの色再現がなされた最終映像を確認しつつ、最終出力デバイスに対する映像信号に対して所望の色調整を行うことができる。
【図面の簡単な説明】
【００２３】
【図１】本発明の実施の形態１に係る映像変換装置を備える映像変換システムの概略構成を示すブロック図である。
【図２】図１の映像変換装置の詳細構成を示すブロック図である。
【図３】（Ａ）は、映像変換システムの波形モニタで表示される波形モニタ表示の一例であり、（Ｂ）は、波形モニタで表示されるベクトルスコープ表示の一例である。
【図４】本発明の実施の形態２に係る映像変換装置を備える映像変換システムの概略構成を示すブロック図である。
【図５】本発明の実施の形態３に係る映像変換装置を備える映像変換システムの概略構成を示すブロック図である。
【図６】本発明の実施の形態４に係る映像変換装置を備える映像変換システムの概略構成を示すブロック図である。
【図７】（Ａ）〜（Ｃ）は、ＣＭＳ技術を用いたカラーシミュレーションの一例を示すブロック図である。
【図８】（Ａ）および（Ｂ）は、図７のカラーシミュレーションにおいて色調整を行う場合の一例を示すブロック図である。
【図９】（Ａ）は、映画・放送業界において、カメラから入力された映像信号を最終出力デバイスの映像信号に変換する映像変換装置の一例を示すブロック図であり、（Ｂ）は、撮影現場に設置されたＯｎ−Ｓｉｔｅモニタに映像信号を出力する映像変換装置の一例を示すブロック図である。
【図１０】映画・放送業界において、慣習として行われている色調整を説明するブロック図である。
【図１１】ＣＭＳ技術を用いた映像変換装置において慣習として行われている色調整を行った場合を説明するブロック図である。
【発明を実施するための形態】
【００２４】
本発明に係る映像変換装置を、添付の図面に示す好適実施形態に基づいて以下に詳細に説明する。
【００２５】
実施の形態１
図１は、本発明の実施の形態１に係る映像変換装置を備える映像変換システムの構成を示すブロック図である。図１に示す映像変換システムは、カメラ１とカメラ１に接続される映像変換装置２と、映像変換装置２に接続される波形モニタ３およびＯｎ−Ｓｉｔｅモニタ（シミュレーションモニタ）４を備える。
カメラ１は、撮影現場に設置され、ユーザの操作により撮影を行って映像信号を取得し、出力するものである。カメラ１としては、動画像の映像信号を取得するものであってもよく、また、静止画像の映像信号を取得するものであってもよい。
【００２６】
映像変換装置２は、入力された映像信号を出力先の出力デバイスに応じて色変換し、また、ユーザの指示により入力された映像信号の色調整を行い、色変換・色調整された映像信号を出力するものである。
映像変換装置２は、入力端子１０と、入力端子１０に接続される第１の色変換ユニット１１と、第１の色変換ユニット１１に接続される第２の色変換ユニット１２および最終映像信号出力端子１３と、第２の色変換ユニット１２に接続されるシミュレーション映像信号出力端子１４とを備え、また、第１の変換ユニット１１と第２の変換ユニット１２とに接続する制御部１５と、制御部１５に接続される操作部１６とを備える。
【００２７】
入力端子１０は、例えば、ＢＮＣ、ＨＤＭＩ（登録商標）、ＶＧＡ、ＤＶＩなどによって構成され、カメラ１から出力された映像信号を受信する。
第１の色変換ユニット１１は、入力端子１０より入力されたカメラ１の映像信号である入力デバイスの色空間の映像信号（以下、入力映像信号という）を、ターゲット出力デバイスである最終出力デバイスの色空間の映像信号（以下、最終映像信号という）に色変換する。また、第１の色変換ユニット１１は、操作部１６によるユーザの指示により、映像信号の色調整を行う。なお、第１の色変換ユニット１１の詳細構成および映像信号の色調整については後述する。
【００２８】
第２の色変換ユニット１２は、第１の色変換ユニット１１から最終映像信号を取得し、最終出力デバイスの色空間の映像信号である最終映像信号を、撮影現場での確認用デバイスであるＯｎ−Ｓｉｔｅモニタ４の色空間の映像信号（以下、シミュレーション映像信号という）に色変換する。なお、第１の色変換ユニット１１と同様に、第２の色変換ユニット１２の詳細構成については後述する。
最終映像信号出力端子１３は、上述の入力端子１０と同様に、例えば、ＢＮＣ、ＨＤＭＩ、ＶＧＡ、ＤＶＩなどによって構成され、第１の色変換ユニット１１からの最終映像信号を出力する。
【００２９】
シミュレーション映像信号出力端子１４は、上述の入力端子１０、最終映像信号出力端子１３と同様に、例えば、ＢＮＣ、ＨＤＭＩ、ＶＧＡ、ＤＶＩなどによって構成され、第２の色変換ユニット１２からのシミュレーション映像信号を出力する。
制御部１５は、第１の色変換ユニット１１および第２の色変換ユニット１２をそれぞれ制御し、また、操作部１６からの指示に基づいて第１の色変換ユニット１１を通じて映像信号の色調整を行う。色調整の詳細については後述する。
【００３０】
操作部１６は、ユーザが入力操作を行うためのものであり、キーボード、マウス、トラックボールおよびタッチパネル等から構成される。また、操作部１６は、ユーザからの指示を受け、制御部１５へ映像信号の色調整の指示を出す。
【００３１】
波形モニタ３は、入力された映像信号に基づいて、波形モニタ表示およびベクトルスコープ表示に代表される少なくとも１つの波形表示を行うものであり、例えば、波形モニタ表示とベクトルスコープ表示とを並列表示してもよく、波形モニタ表示とベクトルスコープ表示とを操作部１６を操作することで切り替えて表示してもよく、また、波形モニタ表示とベクトルスコープ表示とを重畳表示してもよい。波形モニタ表示とベクトルスコープ表示との詳細については後述する。
Ｏｎ−Ｓｉｔｅモニタ４は、撮影され、色変換・色調整のなされた映像を確認するために撮影現場に設置されるシミュレーションモニタであり、シミュレーション映像信号出力端子１４から出力されたシミュレーション映像信号に基づくシミュレーション映像（確認用映像：最終出力デバイスでの色再現のなされた映像）をリアルタイムで表示する。
【００３２】
図２は、図１の映像変換装置２の第１の色変換ユニット１１および第２の色変換ユニット１２の詳細構成を示すブロック図である。
図２に示すように、第１の色変換ユニット１１は、入力端子１０から順次接続されるカメラＲＧＢ調整部２１、カメラＲＧＢ・ＡＣＥＳ ＲＧＢ色変換部２２、ＡＣＥＳ ＲＧＢ調整部２３およびＡＣＥＳ ＲＧＢ・プロジェクタ／マスタモニタＲＧＢ色変換部２４を備え、また、第２の色変換ユニット１２は、プロジェクタ／マスタモニタＲＧＢ・Ｏｎ−ＳｉｔｅモニタＲＧＢ色変換部２５を備える。なお、ＡＣＥＳとは、Ａｃａｄｅｍｙ  Ｃｏｌｏｒ  Ｅｎｃｏｄｉｎｇ  Ｓｐｅｃｉｆｉｃａｔｉｏｎの略語であり、映画アカデミー（Ｔｈｅ  Ａｃａｄｅｍｙ  ｏｆ  Ｍｏｔｉｏｎ  Ｐｉｃｔｕｒｅ  Ａｒｔｓ  ａｎｄ  Ｓｃｉｅｎｃｅｓ：ＡＭＰＡＳ）において規格化されたデジタル映像制作における色管理・色再現方法の標準規格であり、ＡＣＥＳ ＲＧＢ（色空間）とは、ＡＣＥＳ規格において定められた共通色空間である。
【００３３】
カメラＲＧＢ調整部２１は、入力端子１０からの入力映像信号を取得し、制御部１５を通じてユーザによる操作部１６からの色調整の指示（ｉ）を受け、入力色空間であるカメラＲＧＢ色空間上で入力映像信号の色調整（入力色調整）を行う。
【００３４】
カメラＲＧＢ・ＡＣＥＳ ＲＧＢ色変換部２２は、カメラＲＧＢ調整部２１で色調整された調整済入力映像信号を取得し、調整済入力映像信号に対して、カメラ１の色空間であるカメラＲＧＢ色空間から共通色空間であるＡＣＥＳ ＲＧＢ色空間への色変換を行う。
ＡＣＥＳ ＲＧＢ調整部２３は、カメラＲＧＢ・ＡＣＥＳ ＲＧＢ色変換部２２でＡＣＥＳ ＲＧＢ色空間に色変換のなされた共通色空間の映像信号を取得し、制御部１５を通じてユーザによる操作部１６からの色調整の指示（ｉｉ）を受け、ＡＣＥＳ ＲＧＢ色空間上で共通色空間の映像信号の色調整を行う。
【００３５】
ＡＣＥＳ ＲＧＢ・プロジェクタ／マスタモニタＲＧＢ色変換部２４は、ＡＣＥＳ ＲＧＢ調整部２３で色調整された調整済みの共通色空間の映像信号を取得し、調整済みの共通色空間の映像信号に対して、共通色空間であるＡＣＥＳ ＲＧＢ色空間から最終出力デバイスの出力色空間であるプロジェクタ／マスタモニタＲＧＢ色空間への色変換を行う。プロジェクタ／マスタモニタＲＧＢ色空間への色変換により、最終映像信号が生成される。
【００３６】
第２の変換ユニット１２のプロジェクタ／マスタモニタＲＧＢ・Ｏｎ−ＳｉｔｅモニタＲＧＢ色変換部２５は、ＡＣＥＳ ＲＧＢ・プロジェクタ／マスタモニタＲＧＢ色変換部２４で色変換されたプロジェクタ／マスタモニタの出力色空間の映像信号（最終映像信号）を取得し、プロジェクタ／マスタモニタＲＧＢ色空間から出力先であるＯｎ−Ｓｉｔｅモニタ４の出力色空間であるＯｎ−ＳｉｔｅモニタＲＧＢ色空間へ色変換を行う。Ｏｎ−Ｓｉｔｅモニタ４のＯｎ−ＳｉｔｅモニタＲＧＢ色空間への色変換により、シミュレーション映像信号が生成される。
【００３７】
次に、本発明の実施の形態１に係る映像変換装置２を備える映像変換システムの動作を説明する。
映像変換装置２は、入力端子１０に接続されたカメラ１から映像信号の入力を受け、第１の色変換ユニット１１において、入力色空間であるカメラＲＧＢ色空間から最終出力デバイスの出力色空間であるプロジェクタ／マスタモニタＲＧＢ色空間への映像信号の色変換を行い、また、第２の色変換ユニット１２において、最終出力デバイスの出力色空間であるプロジェクタ／マスタモニタＲＧＢ色空間からＯｎ−Ｓｉｔｅモニタの出力色空間であるＯｎ−ＳｉｔｅモニタＲＧＢ色空間への映像信号の色変換を行うと共に、操作部１６からのユーザの指示に基づいて映像信号の色調整を行う。
【００３８】
映像信号の色変換
映像信号の色変換は、第１の色変換ユニット１１のカメラＲＧＢ・ＡＣＥＳ ＲＧＢ色変換部２２において、入力色空間であるカメラＲＧＢ色空間から共通色空間であるＡＣＥＳ ＲＧＢ色空間への色変換を行い、その後、ＡＣＥＳ ＲＧＢ・プロジェクタ／マスタモニタＲＧＢ色変換部２４で、共通色空間であるＡＣＥＳ ＲＧＢ色空間から出力色空間であるプロジェクタ／マスタモニタＲＧＢ色空間に色変換を行い、また、第２の色変換ユニット１２のプロジェクタ／マスタモニタＲＧＢ・Ｏｎ−ＳｉｔｅモニタＲＧＢ色変換部２５で、出力色空間であるプロジェクタ／マスタモニタＲＧＢ色空間から出力色空間であるＯｎ−ＳｉｔｅモニタＲＧＢ色空間に色変換を行うことで行われる。
【００３９】
映像信号の色調整
映像信号の色調整は、ユーザが操作部１６を操作し、制御部１５を通じて、図２のｉに示すように入力端子１０からの入力映像信号を受けるカメラＲＧＢ調整部２１において、入力色空間であるカメラＲＧＢ色空間上で行われてもよく、また、図２のｉｉに示すように入力映像信号が共通色空間であるＡＣＥＳ ＲＧＢ色空間の映像信号に変換された後、ＡＣＥＳ ＲＧＢ調整部２３において共通色空間であるＡＣＥＳ ＲＧＢ色空間上で色調整が行われてもよい。
なお、ＡＣＥＳ ＲＧＢ・プロジェクタ／マスタモニタＲＧＢ色変換部２４の後に、プロジェクタ／マスタモニタＲＧＢ調整部を設置し、プロジェクタ／マスタモニタＲＧＢ調整部において、プロジェクタ／マスタモニタＲＧＢ色空間に色変換された映像信号に対して、出力色空間であるプロジェクタ／マスタモニタＲＧＢ色空間上で色調整を行ってもよい。
【００４０】
上述のとおり、第１の色変換ユニット１１において、入力デバイスの色空間の映像信号から最終出力デバイスの色空間の映像信号に色変換のなされた最終映像信号は、最終映像信号出力端子１３および第２の色変換ユニット１２のプロジェクタ／マスタモニタＲＧＢ・Ｏｎ−ＳｉｔｅモニタＲＧＢ色変換部２５へ出力される。
プロジェクタ／マスタモニタＲＧＢ・Ｏｎ−ＳｉｔｅモニタＲＧＢ色変換部２５は、最終出力デバイスの色空間の最終映像信号を、確認用デバイスの色空間の映像信号であるシミュレーション出力映像信号へ色変換する。色変換されたシミュレーション映像信号は、シミュレーション映像信号出力端子１４へ出力される。
【００４１】
波形モニタ３では、入力された最終映像信号に基づいて波形表示がなされる。具体的には、図３（Ａ）に示す、入力された最終映像信号から色信号と輝度信号とを生成し、これら色信号と輝度信号とを重畳表示した波形モニタ表示や、図３（Ｂ）に示す、入力された最終映像信号から２つの色差信号（Ｒ−Ｙ、Ｂ−Ｙ）を生成し、それぞれをＸ軸、Ｙ軸に配置したベクトルスコープ表示などの波形表示がなされる。なお、ベクトルスコープ表示は、上述の波形モニタ表示では確認できない映像信号の色相を確認するために行われる。
また、映画・放送業界の慣習に従って映像信号のグレーバランスをＲ＝Ｇ＝Ｂとなるように修正する場合、ユーザは、波形モニタ３のベクトルスコープ表示でグレーバランスを確認し、全ての信号が中心の一点に集まるように映像信号の色調整を行う。
【００４２】
ユーザは、撮影現場において、波形モニタ３によって最終映像信号の信号値（ＲＧＢ値）を確認することができ、かつ、Ｏｎ−Ｓｉｔｅモニタ４によって最終出力デバイスであるプロジェクタ／マスタモニタでの色再現を確認することができるため、シミュレーション用の映像信号の信号値を誤って参照することなく最終出力の信号値を定量的に把握することができる。
また、ユーザは、撮影現場において、波形モニタ３とＯｎ−Ｓｉｔｅモニタ４とを合わせて確認することで、最終出力デバイスの色再現のなされた最終映像に対して所望の色調整を行うことができる。
【００４３】
実施の形態２
図４は、本発明の実施の形態２に係る映像変換装置を備える映像変換システムの構成を示すブロック図である。図４に示す映像変換システムは、カメラ１とカメラ１に接続される映像変換装置１０２と、映像変換装置１０２に接続されるＯｎ−Ｓｉｔｅモニタ４とを備える。なお、カメラ１およびＯｎ−Ｓｉｔｅモニタ４は、実施の形態１と同様の構成であるため説明を省略する。
【００４４】
また、映像変換装置１０２は、入力端子１０、入力端子１０に接続される第１の色変換ユニット１１、第１の色変換ユニット１１に接続される第２の色変換ユニット１２、第１の色変換ユニット１１に接続される波形表示信号生成部３１、第２の色変換ユニット１２および波形表示信号生成部３１に接続される表示制御部３２ならびに表示制御部３２に接続される出力端子３３を備える。また、映像変換装置１０２は、第１の変換ユニット１１、第２の変換ユニット１２、波形表示信号生成部３１および表示制御部３２にそれぞれ接続する制御部３４と、制御部３４にそれぞれ接続する操作部１６および表示切替スイッチ３５を備える。
なお、入力端子１０、第１の色変換ユニット１１、第２の色変換ユニット１２および操作部１６は、実施の形態１と同様の構成であるため説明を省略する。
【００４５】
波形表示信号生成部３１は、最終映像信号に基づいて、Ｏｎ−Ｓｉｔｅモニタ４において上述の波形モニタ表示およびベクトルスコープ表示の少なくとも一方を行うための波形表示信号を生成する。
表示制御部３２は、波形表示信号生成部３１で生成された波形表示信号を取得し、また、第２の色変換ユニット１２で変換されたシミュレーション映像信号を取得して、Ｏｎ−Ｓｉｔｅモニタ４において、上述の波形モニタ表示およびベクトルスコープ表示の少なくとも一方からなる波形表示と、シミュレーション映像信号に基づいて最終出力デバイスの色再現のなされた最終映像とを並列表示する。なお、波形表示のうち、上述の波形モニタ表示とベクトルスコープ表示とは、ユーザによる制御部３４を通じた表示切替スイッチ３５からの切替指示によって切り替えられて表示されてもよく、また、波形表示と最終映像の表示とは、ユーザによる制御部３４を通じた表示切替スイッチ３５からの切替指示によって切り替えられて表示されてもよい。
【００４６】
出力端子３３は、上述の入力端子１０、実施の形態１の最終映像信号出力端子１３およびシミュレーション映像信号出力端子１４と同様に、例えば、ＢＮＣ、ＨＤＭＩ、ＶＧＡ、ＤＶＩなどによって構成され、表示制御部３２からの波形表示信号およびシミュレーション映像信号を出力する。
制御部３４は、第１の色変換ユニット１１、第２の色変換ユニット１２および波形表示信号生成部３１をそれぞれ制御し、また、操作部１６からの指示に基づいて第１の色変換ユニット１１を通じて映像信号の色調整を行う。また、制御部３４は、ユーザによる表示切替スイッチ３５からの切替指示を受け、表示制御部３２を制御する。
【００４７】
表示切替スイッチ３５は、制御部３４に有線接続または無線接続され、制御部３４を通じて表示制御部３２へＯｎ−Ｓｉｔｅモニタ４の表示映像の切替指示を行うものであり、例えば、ダイヤルスイッチで構成されていてもよく、ボタンによって構成されていてもよく、また、操作部１６と同様に、キーボード、マウス、トラックボールおよびタッチパネル等から構成されてもよい。
【００４８】
次に、実施の形態２に係る映像変換装置１０２の動作を簡単に説明する。なお、第１の色変換ユニット１１および第２の色変換ユニット１２の動作、色変換および色調整の動作は実施の形態１と同様であるため、相違点を中心に説明する。
第１の色変換ユニット１１から出力された最終映像信号は、波形表示信号生成部３１に入力され、波形表示信号生成部３１において、Ｏｎ−Ｓｉｔｅモニタ４で上述の波形表示を行うための波形表示信号が生成される。波形表示信号生成部３１において生成された波形表示信号は、表示制御部３２へ出力される。
【００４９】
表示制御部３２は、波形表示信号生成部３１からの波形表示信号と、第２の色変換ユニット１２からのシミュレーション映像信号とを取得し、制御部３４を通じた表示切替スイッチ３５からの切替指示に基づいて、出力端子３３に接続されたＯｎ−Ｓｉｔｅモニタ４に波形表示信号とシミュレーション映像信号とを出力する。
Ｏｎ−Ｓｉｔｅモニタ４では、表示制御部３２によって、波形モニタ表示の単独表示、ベクトルスコープ表示の単独表示、波形モニタ表示およびベクトルスコープ表示の並列表示、ならびに波形モニタ表示およびベクトルスコープ表示の重畳表示が切り替えて表示され、また、波形表示の単独表示、最終映像の単独表示、波形表示および最終映像の並列表示、ならびに波形表示および最終映像の重畳表示切り替えて表示される。
【００５０】
上述のとおり、実施の形態２に係る映像変換装置１０２を備える映像変換システムは、Ｏｎ−Ｓｉｔｅモニタ４によって、最終映像の表示のみならず上述の波形表示も確認できるため、映画・放送業界の慣習によりシミュレーション用の映像信号の信号値を誤って参照することがない。また、ユーザは、撮影現場において、最終映像と波形表示とを合わせて確認することができ、最終出力デバイスの色再現のなされた最終映像に対して所望の色調整を行うことができる。
【００５１】
実施の形態３
本発明の実施の形態３に係る映像変換装置を備える映像変換システムの構成を示すブロック図である。図５に示す映像変換システムは、カメラ１とカメラ１に接続される映像変換装置２０２と、映像変換装置２０２に接続される表示モニタ２０３とを備える。なお、カメラ１は、実施の形態１と同様の構成であるため説明を省略する。
【００５２】
また、映像変換装置２０２は、入力端子１０、入力端子１０に接続される第１の色変換ユニット１１、第１の色変換ユニット１１に接続される第２の色変換ユニット１２、第１の色変換ユニット１１および第２の色変換ユニット１２に接続される出力切替部４１、ならびに出力切替部４１に接続される出力端子４２を備える。また、映像変換装置２０２は、第１の色変換ユニット１１、第２の色変換ユニット１２および出力切替部４１にそれぞれ接続する制御部４３と、制御部４３にそれぞれ接続する操作部１６および表示切替スイッチ４４とを備える。
なお、入力端子１０、第１の色変換ユニット１１、第２の色変換ユニット１２および操作部１６は、実施の形態１と同様の構成であるため説明を省略する。
【００５３】
出力切替部４１は、制御部４３を通じたユーザによる表示切替スイッチ４４からの指示に基づいて、第１の色変換ユニット１１から取得した最終映像信号および第２の色変換ユニット１２から取得したシミュレーション映像信号のいずれか一方を切り替えて出力端子４２へ出力する。
出力端子４２は、上述の入力端子１０等と同様に、例えば、ＢＮＣ、ＨＤＭＩ、ＶＧＡ、ＤＶＩなどによって構成され、出力端子４２に接続された表示モニタ２０３に対して出力切替部４１から出力された映像信号を出力する。
【００５４】
制御部４３は、実施の形態１と同様に、第１の色変換ユニット１１および第２の色変換ユニット１２をそれぞれ制御し、また、操作部１６からの指示に基づいて第１の色変換ユニット１１を通じて映像信号の色調整を行う。また、ユーザによる表示切替スイッチ４４からの切替指示を受け、出力切替部４１へ映像信号の切替指示を出す。
表示切替スイッチ４４は、制御部４３に有線接続または無線接続され、ユーザの指示に基づいて出力切替部４１へ映像信号の切替指示を出す。なお、ユーザは、出力端子４２に接続された表示モニタ２０３の種類に応じて上述の表示切替スイッチ４４を切り替える。
【００５５】
表示モニタ２０３は、波形モニタまたはＯｎ−Ｓｉｔｅモニタであり、波形モニタである場合には、出力端子４２から出力された最終映像信号を取得して波形表示し、Ｏｎ−Ｓｉｔｅモニタである場合には、出力端子４２から出力されたシミュレーション映像信号を取得してシミュレーション映像信号に基づく映像を表示する。
【００５６】
次に、実施の形態３に係る映像変換装置２０２の動作を簡単に説明する。なお、第１の色変換ユニット１１および第２の色変換ユニット１２の動作、色変換および色調整の動作は実施の形態１と同様であるため、相違点を中心に説明する。
ユーザは、映像変換装置２の出力端子４２に、波形モニタおよびＯｎ−Ｓｉｔｅモニタのいずれか一方である表示モニタ２０３を接続し、出力端子４２に接続された表示モニタ２０３の種類に応じて表示切替スイッチ４４を切り替えて、出力切替部４１へ、出力端子４２から表示モニタ２０３へ出力する映像信号の切り替え指示を出す。
【００５７】
出力端子４２に接続された表示モニタ２０３が波形モニタである場合には、制御部４３は、ユーザによる表示切替スイッチ４４からの指示を受け、出力切替部４１から最終映像信号を出力させ、出力端子４２に接続された表示モニタ２０３がＯｎ−Ｓｉｔｅモニタである場合には、制御部４３は、ユーザによる表示切替スイッチ４４からの指示を受け、出力切替部４１からシミュレーション映像信号を出力させる。
表示モニタ２０３が波形モニタの場合には、出力された最終映像信号に基づく波形表示がなされ、表示モニタ２０３がＯｎ−Ｓｉｔｅモニタの場合には、シミュレーション映像信号に基づく最終出力デバイスの色再現のなされた最終映像が表示される。
【００５８】
上述のとおり、実施の形態３に係る映像変換装置２０２を備える映像変換システムは、ユーザが、表示モニタ２０３の種類に応じて操作部１６を操作し、出力切替部４１から表示モニタ２０３に応じた映像信号を出力させるため、映画・放送業界の慣習によりシミュレーション用の映像信号の信号値を誤って参照することがない。
【００５９】
実施の形態４
本発明の実施の形態４に係る映像変換装置を備える映像変換システムの構成を示すブロック図である。図６に示す映像変換システムは、カメラ１とカメラ１に接続される映像変換装置３０２と、映像変換装置３０２に接続される表示モニタ２０３とを備える。なお、カメラ１は、実施の形態１と同様の構成であり、また、表示モニタ２０３は実施の形態３と同様の構成であるため説明を省略する。
【００６０】
また、映像変換装置３０２は、入力端子１０、入力端子１０に接続される第１の色変換ユニット１１、第１の色変換ユニット１１に接続される第２の色変換ユニット１２、第１の色変換ユニット１１および第２の色変換ユニット１２に接続される出力切替部５１、ならびに出力切替部５１に接続される出力端子５２を備える。また、映像変換装置３０２は、出力切替部５１および出力端子５２にそれぞれ接続する接続モニタ判定部５３を備える。
なお、入力端子１０、第１の色変換ユニット１１、第２の色変換ユニット１２および操作部１６は、実施の形態１と同様の構成であるため説明を省略する。
【００６１】
出力切替部５１は、接続モニタ判定部５３からの指示に基づいて、第１の色変換ユニット１１から取得した最終映像信号および第２の色変換ユニット１２から取得したシミュレーション映像信号のいずれか一方を切り替えて出力端子５２へ出力する。
出力端子５２は、出力端子５２に接続された表示モニタ２０３に対して出力切替部５１から出力された映像信号を出力するとともに、出力端子５２に接続された表示モニタ２０３から、表示モニタ２０３の種類の判定を可能とするＥＤＩＤ（Extended Display Identification Data）信号を取得し、接続モニタ判定部５３へ出力する。
【００６２】
接続モニタ判定部５３は、表示モニタ２０３から出力され出力端子５２を通じて取得したＥＤＩＤ信号に基づいて、接続された表示モニタ２０３の種類を判定し、表示モニタ２０３の種類に応じて出力切替部５１へ映像信号の切替指示を出す。
制御部５４は、実施の形態１の制御部１５と同様に、第１の色変換ユニット１１および第２の色変換ユニット１２をそれぞれ制御し、また、操作部１６からの指示に基づいて第１の色変換ユニット１１を通じて映像信号の色調整を行う。
【００６３】
次に、実施の形態４に係る映像変換装置３０２の動作を簡単に説明する。なお、第１の色変換ユニット１１および第２の色変換ユニット１２の動作、色変換および色調整の動作は実施の形態１と同様であるため、相違点を中心に説明する。
ユーザは、映像変換装置３０２の出力端子５２に、波形モニタまたはＯｎ−Ｓｉｔｅモニタである表示モニタ２０３を接続する。接続モニタ判定部５３は、出力端子５２に表示モニタ２０３が接続されると、表示モニタ２０３から出力され出力端子５２を通じて取得したＥＤＩＤ信号に基づいて表示モニタ２０３の種類を判定し、表示モニタ２０３の種類に応じて出力切替部５１へ、出力端子５２から表示モニタ２０３へ出力する映像信号の切り替え指示を出す。
【００６４】
具体的には、出力端子５２に波形モニタが接続された場合、接続モニタ判定部５３はＥＤＩＤ信号に基づいて出力端子５２に接続された表示モニタ２０３は波形モニタであると判定し、出力切替部５１に切替指示（最終映像信号の出力指示）を出して出力切替部５１から最終映像信号を出力させる。また、出力端子５２にＯｎ−Ｓｉｔｅモニタが接続された場合、接続モニタ判定部５３はＥＤＩＤ信号に基づいて出力端子５２に接続された表示モニタ２０３は波形モニタであると判定し、出力切替部５１に切替指示（シミュレーション映像信号の出力指示）を出して出力切替部５１からシミュレーション映像信号を出力させる。
表示モニタ２０３が波形モニタの場合には、出力された最終映像信号に基づく波形表示がなされ、表示モニタ２０３がＯｎ−Ｓｉｔｅモニタの場合には、シミュレーション映像信号に基づく最終出力デバイスの色再現のなされた最終映像が表示される。
【００６５】
上述のとおり、実施の形態４に係る映像変換装置３０２を備える映像変換システムは、接続モニタ判定部５３が表示モニタ２０３の種類に応じて出力切替部５１に指示を出し、出力切替部５１から表示モニタ２０３の種類に応じた映像信号を出力させるため、映画・放送業界の慣習によりシミュレーション用の映像信号の信号値を誤って参照することがない。
【００６６】
実施の形態５
表示デバイスにおける白色（より正確には、白色を含む無彩色）は、複数あり、表示デバイスにおいて映像を観察する際に、表示デバイスに白色が表示されていると、または、目に入る位置に白色のものが存在すると、表示デバイスでの色の見え方は、それらの白色の表示に影響されることが知られている。
例えば、プロジェクタやモニタ等を観察する際に、プロジェクタやモニタ等の“白”が表示されていると、色の見え方は、その“白”に影響される。具体的には、色温度９３００Ｋモニタで、色温度９３００Ｋモニタの白が表示された状態で、更に色温度９３００Ｋの白（測色値）を表示すると白に見えるが、色温度９３００Ｋモニタの白が表示された状態で、更に色温度６０００Ｋの白（測色値）を表示すると赤く見える。また、例えば、色温度６０００Ｋモニタで、色温度６０００Ｋモニタの白が表示された状態で、更に色温度９３００Ｋの白（測色値）を表示すると青く見え、色温度６０００Ｋの白が表示された状態で、更に色温度６０００Ｋの白（測色値）を表示すると白に見える。
【００６７】
また、プロジェクタやモニタ等を観察する際に、プロジェクタやモニタ等の“白”が表示されていないと（目に入らないと）、色の見え方は測色値どおりとなることが知られている。例えば、色温度９３００Ｋモニタで、色温度９３００Ｋモニタの白が目に入らない状態で、色温度９３００Ｋの白（測色値）を表示すると白に見え、色温度９３００Ｋモニタの白が目に入らない状態で、色温度６０００Ｋの白（測色値）を表示すると白に見える。また、例えば、色温度６０００Ｋモニタで、色温度６０００Ｋモニタの白が目に入らない状態で、色温度９３００Ｋの白（測色値）を表示すると白に見え、色温度６０００Ｋの白が目に入らない状態で、色温度６０００Ｋの白（測色値）を表示すると白に見える。
つまり、プロジェクタやモニタ等を観察する際に、周囲に比較対象となる白が存在すると、その白との相対比較で白の見え方が変わるが、周囲に比較対象となる白が存在しないと、見ている最も明るい色を白として知覚（通常は、白が最も明るいと考えられる。）する。
【００６８】
そのため、上述の実施の形態１〜４係る映像変換装置２〜３０２を備える映像変換システムにおいてＯｎ−Ｓｉｔｅモニタ４で最終出力デバイスでの色再現を行う場合、映像等の白色（を含む無彩色）に影響されてＯｎ−Ｓｉｔｅモニタ４での最終映像の色がずれて観察されないように、Ｏｎ−Ｓｉｔｅモニタ４における白の表示の有無を考慮して、第２の変換ユニット１２における色調整のされた最終映像信号の色変換を切り替えてもよい。
映像変換装置２〜３０２において、第２の変換ユニット１２は、制御部を通じた操作部１６（本発明の色変換切替部を含む。）の指示に基づいて、第２の色変換ユニット１２で行われる最終映像信号の色変換を切り替える。
【００６９】
第２の色変換ユニット１２で切り替えられる色変換としては、測色変換と色順応変換（アピアランスマッチング）とが挙げられる。ここで、測色変換とは、最終出力デバイスでの測色値をそのままＯｎ−Ｓｉｔｅモニタ４で表示するための色変換であり、色順応変換とは、Ｏｎ−Ｓｉｔｅモニタ４において、最終出力デバイス（プロジェクタ／マスタモニタ）の測色値や、Ｏｎ−Ｓｉｔｅモニタ４の測色値が、それぞれの白の影響でどのように見えるかを計算し、Ｏｎ−Ｓｉｔｅモニタ４においてそれぞれの白の影響を考慮した最終出力デバイスでの色再現を行うための色変換である。
上述のとおり、第２の色変換ユニット１２における色変換を切り替えることで、Ｏｎ−Ｓｉｔｅモニタ４に表示された映像自体や映像の観察環境を考慮した所望の色再現を行うことができる。
【００７０】
また、実施の形態１に記載のようにＯｎ−Ｓｉｔｅモニタ４が波形モニタ３と同時に利用される場合や、実施の形態２に記載のようにＯｎ−Ｓｉｔｅモニタ４に映像と波形表示とを同時に行う場合、Ｏｎ−Ｓｉｔｅモニタ４の映像において白色が表示されていなくとも、同時に観察される波形モニタ３における波形表示やＯｎ−Ｓｉｔｅモニタ４における波形表示において白色が表示されると、上述のとおり波形表示における白色に影響されてＯｎ−Ｓｉｔｅモニタ４での映像の見え方が変わってしまう。
よって、上述と同様に、波形モニタ３の波形表示またはＯｎ−Ｓｉｔｅモニタ４の波形表示において白色を含む無彩色を表示しないことが好ましい。
【００７１】
また、同様に、波形モニタ３の波形表示またはＯｎ−Ｓｉｔｅモニタ４の波形表示において、明るい無彩色を使用せず、有彩色や最終映像と比較して暗めの無彩色などを使用して波形表示を行うことが好ましい。例えば、実施の形態１および２において、映像と波形表示とを並列表示する場合や、実施の形態２において、映像と波形表示とを重畳表示する場合、最終映像の平均輝度より小さい輝度の無彩色や、有彩色を使用して波形表示を行うことができる。
Ｏｎ−Ｓｉｔｅモニタ４における最終映像の観察環境において白色を含む無彩色を表示等させないことで、Ｏｎ−Ｓｉｔｅモニタ４において、最終映像の正確な観察を行うことができる。
【００７２】
なお、実施の形態３に係る映像変換装置２０２または実施の形態４に係る映像変換装置３０２を備える映像変換システムにおいて表示モニタ２０３として波形モニタが接続された場合や実施の形態２に係る映像変化装置１０２を備える映像変換システムにおいて、Ｏｎ−Ｓｉｔｅモニタ４で波形表示を行う場合においても同様である。
【００７３】
また、実施の形態１〜５に係る映像変換装置は、入力端子にカメラが接続され、カメラから出力される映像信号を取得するが、例えば、カメラの代わりに入力端子に映像信号格納装置等が接続され、映像信号格納装置等から出力される映像信号を取得してもよい。
また、実施の形態１〜５に係る映像変換装置は、出力端子に映像信号格納装置等の格納装置が接続され、映像変換装置から出力される映像信号を記録してもよく、また、出力端子にモニタ等の出力デバイスが接続された際に、更に、出力デバイスに映像信号格納装置を接続し、映像信号格納装置において、出力デバイスに表示される映像信号を記録してもよい。
【００７４】
以上、本発明の映像変換装置および映像変換システムについて詳細に説明したが、本発明は、上記実施形態に限定されるものではなく、本発明の要旨を逸脱しない範囲において、各種の改良や変更を行ってもよい。
【符号の説明】
【００７５】
１  カメラ、  ２、１０２、２０２、３０２  映像変換装置、  ３  波形モニタ、  ４  Ｏｎ−Ｓｉｔｅモニタ（シミュレーションモニタ）、  １０  入力端子、  １１  第１の色変換ユニット、  １２  第２の色変換ユニット、  １３  最終映像信号出力端子、  １４  シミュレーション映像信号出力端子、  １５、３４、４３、５４  制御部、  １６  操作部、  ２１  カメラＲＧＢ調整部、  ２２  カメラＲＧＢ・ＡＣＥＳＲＧＢ色変換部、  ２３  ＡＣＥＳＲＧＢ調整部  ２４  ＡＣＥＳＲＧＢ・プロジェクタ／マスタモニタＲＧＢ色変換部、  ２５  プロジェクタ／マスタモニタＲＧＢ・Ｏｎ−ＳｉｔｅモニタＲＧＢ色変換部、  ３１  波形表示信号生成部、  ３２  表示制御部、  ３３、４２、５２  出力端子、  ３５、４４  表示切替スイッチ、  ４１、５１  出力切替部、  ５３  接続モニタ判定部、  ２０３  表示モニタ。
【図１】
2015070602.tif 000003
【図２】
2015070602.tif 000004
【図３】
2015070602.tif 000005
【図４】
2015070602.tif 000006
【図５】
2015070602.tif 000007
【図６】
2015070602.tif 000008
【図７】
2015070602.tif 000009
【図８】
2015070602.tif 000010
【図９】
2015070602.tif 000011
【図１０】
2015070602.tif 000012
【図１１】
2015070602.tif 000013